(57)【特許請求の範囲】
【請求項１】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータに於いて、
前記ディスクメディアまたは前記デジタルサウンドデータを再生対象として選択し再生を指示する単一のハードウェアスイッチと、
前記ハードウェアスイッチの操作内容を判別する手段と、
前記判別手段が前記デジタルサウンドデータの再生指示を判別したとき、前記ディスクメディアの再生手段が再生中であるか否かを判断し、前記ディスクメディアの再生手段が再生中でないことを確認して前記デジタルサウンドデータの再生手段を起動する手段と、
前記判別手段が前記ディスクメディアの再生指示を判別したとき、前記ディスクメディアの再生手段を起動する手段と
を具備してなることを特徴とするコンピュータ。
【請求項２】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータに於いて、
前記ディスクメディアまたは前記デジタルサウンドデータを再生対象として選択し再生を指示する単一のハードウェアスイッチと、
前記ハードウェアスイッチの操作に伴いハードウェア割込みを発生する割込み発生手段と、
前記割込み発生手段により発生されたハードウェア割込みに従い、前記ハードウェアスイッチの操作内容を識別する識別手段と、
前記識別手段の識別内容に従い、再生対象が前記ディスクメディアであるか前記デジタルサウンドデータであるかを認識し、当該認識した再生対象を再生するための動作環境を整えて、前記認識した再生対象に従う前記再生手段を起動する制御手段と
を具備してなることを特徴とするコンピュータ。
【請求項３】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータに於いて、
前記ディスクメディアまたは前記デジタルサウンドデータを再生対象として選択し再生を指示する単一のハードウェアスイッチと、
前記ハードウェアスイッチの操作内容を判別する手段と、
前記判別手段が前記デジタルサウンドデータの再生指示を判別したとき、前記各再生手段の動作状態を認識し、前記各再生手段が再生処理を実行していないとき前記デジタルサウンドデータの再生手段を起動し、前記デジタルサウンドデータの再生手段が再生処理中でなく、かつ前記ディスクメディアの再生手段が再生処理中である際は前記ディスクメディアの再生処理動作を停止制御した後、前記デジタルサウンドデータの再生手段を起動する手段と
を具備してなることを特徴とするコンピュータ。
【請求項４】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータに於いて、
前記ディスクメディアまたは前記デジタルサウンドデータを再生対象として選択し再生を指示する単一のハードウェアスイッチと、
前記ハードウェアスイッチの操作内容を判別する手段と、
前記判別手段が前記デジタルサウンドデータの再生指示を判別したとき、前記各再生手段の動作状態を認識し、前記各再生手段が再生処理を実行していないとき前記デジタルサウンドデータの再生手段を起動し、前記デジタルサウンドデータの再生手段が再生処理中でなく、かつ前記ディスクメディアの再生手段が再生処理中である際は前記ディスクメディアの再生処理動作を停止制御した後、前記デジタルサウンドデータの再生手段を起動する手段と、
前記判別手段が前記ディスクメディアの再生指示を判別したとき、前記各再生手段の動作状態を認識し、前記各再生手段が再生処理を実行していないとき前記ディスクメディアの再生手段を起動し、前記ディスクメディアの再生手段が再生処理中でなく、かつ前記デジタルサウンドデータの再生手段が再生処理中である際は前記デジタルサウンドデータの再生処理動作を停止制御した後、前記ディスクメディアの再生手段を起動する手段と
を具備してなることを特徴とするコンピュータ。
【請求項５】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段と、ディスクメディアまたはデジタルサウンドデータを再生対象として選択し再生を指示する単一のハードウェアスイッチとを備えたコンピュータの再生方法に於いて、
前記ハードウェアスイッチが操作された際に、当該スイッチの操作状態を検知し、その操作内容を判別するステップと、
前記判別ステップで前記デジタルサウンドデータの再生指示を判別したとき、前記デジタルサウンドデータの再生手段を起動するステップと、
前記判別ステップで前記ディスクメディアの再生指示を判別したとき、前記ディスクメディアの再生手段を起動するステップと
を具備してなることを特徴とするコンピュータに於けるデジタルオーディオビデオデータの再生方法。
【請求項６】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を有してなるコンピュータの再生方法に於いて、
前記ディスクメディアの再生処理手段または前記デジタルサウンドデータの再生処理手段に選択的に起動をかける再生制御手段と、ハードウェアスイッチと、前記ハードウェアスイッチの操作状態を検出し前記再生制御手段に通知する入力処理手段とを有し、
前記再生制御手段は、前記入力処理手段より前記通知を受けると、前記入力処理手段より前記ハードウェアスイッチの操作内容を取得して、当該操作内容が特定のスイッチ操作であるとき、前記デジタルサウンドデータの再生処理手段に起動をかけ、
前記デジタルサウンドデータの再生処理手段は、前記再生制御手段により起動されると、デジタルサウンドデータの供給源から再生対象となるデジタルサウンドデータをロードし、当該データを再生処理することを特徴とするコンピュータに於けるデジタルオーディオビデオデータの再生方法。
【請求項７】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータの再生方法に於いて、
ディスクメディアまたはデジタルサウンドデータを再生対象として選択し再生を指示する単一のハードウェアスイッチを備え、
前記ハードウェアスイッチが操作されたときハードウェア割込みを発生するステップと、
前記ハードウェア割込みに従い、前記ハードウェアスイッチの操作内容を識別するステップと、
前記識別した操作内容に従い、再生対象がディスクメディアであるかデジタルサウンドデータであるかを認識するステップと、
前記認識した再生対象を再生するための動作環境を整えて、前記認識した再生対象に従う前記ディスクメディアまたは前記デジタルサウンドデータの再生手段を起動するステップと
を具備してなることを特徴とするコンピュータに於けるデジタルオーディオビデオデータの再生方法。
【請求項８】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータの再生方法に於いて、
ディスクメディアまたはデジタルサウンドデータを再生対象として選択し再生を指示する単一のハードウェアスイッチを備え、
前記ハードウェアスイッチが操作された際にその内容を判別するステップと、
前記判別ステップで前記デジタルサウンドデータの再生指示を判別したとき、前記各再生手段の動作状態を認識し、前記各再生手段が再生処理を実行していないとき前記デジタルサウンドデータの再生手段を起動し、前記デジタルサウンドデータの再生手段が再生処理中でなく、かつ前記ディスクメディアの再生手段が再生処理中である際は前記ディスクメディアの再生処理動作を停止制御した後、前記デジタルサウンドデータの再生手段を起動するステップと
を具備してなることを特徴とするコンピュータに於けるデジタルオーディオビデオデータの再生方法。
【請求項９】
ディスクドライブに装填されたオーディオデータ用ディスクメディアの再生手段及び前記ディスクドライブに装填可能なディスクメディアに記録可能で、前記オーディオデータとは別の記録形式で記録されたデジタルサウンドデータの再生手段を備えたコンピュータの再生方法に於いて、
ディスクメディアまたはデジタルサウンドデータを再生対象として選択し再生を指示する単一のハードウェアスイッチを備え、
前記ハードウェアスイッチが操作された際にその操作内容を判別するステップと、
前記判別ステップで前記デジタルサウンドデータの再生指示を判別したとき、前記各再生手段の動作状態を認識し、前記各再生手段が再生処理を実行していないとき前記デジタルサウンドデータの再生手段を起動し、前記デジタルサウンドデータの再生手段が再生処理中でなく、かつ前記ディスクメディアの再生手段が再生処理中である際は前記ディスクメディアの再生処理動作を停止制御した後、前記デジタルサウンドデータの再生手段を起動するステップと、
前記判別手段が前記ディスクメディアの再生指示を判別したとき、前記各再生手段の動作状態を認識し、前記各再生手段が再生処理を実行していないとき前記ディスクメディアの再生手段を起動し、前記ディスクメディアの再生手段が再生処理中でなく、かつ前記デジタルサウンドデータの再生手段が再生処理中である際は前記デジタルサウンドデータの再生処理動作を停止制御した後、前記ディスクメディアの再生手段を起動するステップと
を具備してなることを特徴とするコンピュータに於けるデジタルオーディオビデオデータの再生方法。
【発明の詳細な説明】
【０００１】
【発明の属する技術分野】
本発明は、デジタルオーディオビデオデータを再生する機能を備えたコンピュータおよびコンピュータに於けるデジタルオーディオビデオデータの再生方法に関する。
【０００２】
また本発明は、ディスクメディアの再生手段とデジタルオーディオビデオデータの再生手段とを備えたコンピュータおよびコンピュータに於けるデジタルオーディオビデオデータの再生方法に関する。
【０００３】
【従来の技術】
従来、ＭＰ３データ、ｗａｖｅデータ等のデジタルオーディオデータの再生機能を備えたコンピュータに於いては、上記デジタルオーディオデータの再生指示操作をマウス、アキュポイント等のポインティングデバイスやキーボードを用いて行う構成であった。しかしながらこのような入力インタフェースによるデジタルオーディオビデオデータの入力操作は、特に携行の容易な小型コンピュータに於いて微細な操作が要求され、従って操作性の面で問題があった。更に、この種小型コンピュータに於いては、ディスプレイパネルを開放した状態で、即ちポインティングデバイス操作、キーボード操作等が可能な状態で座標位置指定によるボタン操作等を行わなければならないことから、操作環境が特定され、使い勝手の面でも問題があった。
【０００４】
またデジタルオーディオビデオデータの再生機能とデジタルオーディオビデオデータの再生機能とを備えたコンピュータに於いては、上記各再生機能の再生操作をそれぞれ各再生機能毎に独立した上記操作手段により行う構成であった。従って構成並びに操作が煩雑となり、操作性が悪いという問題があった。
【０００５】
【発明が解決しようとする課題】
上記したように、デジタルオーディオデータの再生機能を備えた従来のコンピュータに於いては、コンピュータに記憶されているデジタルオーディオ、ビデオデータの再生や再生する対象の切り替え操作を行なうために、マウスや、キーボードの入力を必要とし、特に携行の容易な小型コンピュータに於いては微細な操作が要求されることから操作性の面で問題があるとともに、操作環境が特定されるという問題があった。またデジタルオーディオビデオデータの再生機能とデジタルオーディオビデオデータの再生機能とを備えたコンピュータに於いては、上記各再生機能の再生操作をそれぞれ各再生機能毎に独立した上記操作手段により行う構成であった。従って構成並びに操作が煩雑となり、操作性が悪いという問題があった。
【０００６】
本発明は上記実情に鑑みなされたもので、デジタルオーディオデータの再生機能を備えたコンピュータに於いて、デジタルオーディオビデオデータの再生や再生する対象の切り替え操作を容易かつ迅速に行なうことのできる操作性のよいコンピュータおよびコンピュータに於けるデジタルオーディオビデオデータの再生方法を提供することを目的とする。
【０００７】
また本発明は、ディスクメディアの再生機能とデジタルオーディオビデオデータの再生機能とを備えたコンピュータに於いて、上記各再生機能の再生指示や再生する対象の切り替え指示を簡単な操作で容易かつ迅速に行なうことのできる操作性に優れたコンピュータおよびコンピュータに於けるデジタルオーディオビデオデータの再生方法を提供することを目的とする。
【０００８】
また、本発明は、コンピュータ本体の筐体定位置に固定的に設けられたハードウェアスイッチの操作のみで、デジタルオーディオビデオデータの再生や、再生する対象の切り替え操作が行なえる、操作性に優れたコンピュータおよびコンピュータに於けるデジタルオーディオビデオデータの再生方法を提供することを目的とする。
【０００９】
【課題を解決するための手段】
本発明は、デジタルオーディオデータの再生機能を備えたコンピュータに於いて、コンピュータ本体の筐体に設けられたハードウェアスイッチと、当該ハードウェアスイッチの操作内容を判別してプレーヤアプリケーションに起動をかけるプログラム手段とを具備して、キーボード及びポインティングデバイス等の操作入力手段を用いることなく、従ってキーボード及びポインティングデバイス等の微細な操作を必要とせず、また操作環境が特定されることなく、簡単な操作で容易にデジタルオーディオビデオデータの再生や、再生する対象の切り替え操作を行なうことができる構成としたことを特徴とする。
【００１０】
即ち、本発明は、デジタルオーディオビデオデータの再生機能をもつコンピュータに於いて、前記デジタルオーディオビデオデータの再生を指示するハードウェアスイッチと、前記ハードウェアスイッチの操作状態を検知しデジタルオーディオビデオデータの再生処理を実行する手段とを具備してなることを特徴とする。
【００１１】
また、本発明は、ディスクメディアの再生手段及びデジタルオーディオビデオデータの再生手段を備えたコンピュータに於いて、ディスクメディアまたはデジタルオーディオビデオデータを再生対象として選択し再生を指示する単一のハードウェアスイッチと、前記ハードウェアスイッチの操作内容を判別する手段と、前記判別手段がデジタルオーディオビデオデータの再生指示を判別したとき、デジタルオーディオビデオデータの再生処理を起動する手段と、前記判別手段がディスクメディアの再生指示を判別したとき、ディスクメディアの再生処理を起動する手段とを具備してなることを特徴とする。
【００１２】
また、本発明は、ＣＤメディアの再生処理手段と、ＤＶＤメディアの再生処理手段と、デジタルオーディオビデオデータの再生処理手段とを備えたコンピュータに於いて、単一のハードウェアスイッチを設け、前記ハードウェアスイッチの操作出力信号に従い、前記各再生処理手段の一つを選択的に起動して、ＣＤメディアと、ＤＶＤメディアと、デジタルオーディオビデオデータとの各再生指示及び再生対象の切替を単一のハードウェアスイッチ操作で行うことを特徴とする。
【００１３】
また、本発明は、デジタルオーディオビデオデータを再生する再生処理手段を有するコンピュータに於いて、デジタルオーディオビデオデータの再生を指示するハードウェアスイッチと、前記ハードウェアスイッチの操作状態を検出し前記再生処理手段に通知する指示操作処理手段とを有して、前記再生処理手段は、前記指示入力処理手段より通知を受けると、デジタルオーディオビデオデータの供給源から再生対象となるデジタルオーディオビデオデータをロードし、当該データを再生処理することを特徴とする。
【００１４】
また、本発明は、ディスクメディアの再生手段及びデジタルオーディオビデオデータの再生手段を備えたコンピュータに於いて、ディスクメディアまたはデジタルオーディオビデオデータを再生対象として選択し再生を指示する単一のハードウェアスイッチと、前記ハードウェアスイッチの操作に伴いハードウェア割込みを発生する割込み発生手段と、前記割込み発生手段により発生されたハードウェア割込みに従い、前記ハードウェアスイッチの操作内容を識別する識別手段と、前記識別手段の識別内容に従い、再生対象が前記ディスクメディアであるかデジタルオーディオビデオデータであるかを認識し、当該認識した再生対象を再生するための動作環境を整えて、前記認識した再生対象に従う前記再生手段を起動する制御手段とを具備してなることを特徴とする。
【００１５】
また、本発明は、ディスクメディアの再生手段及びデジタルオーディオビデオデータの再生手段を備えたコンピュータに於いて、ディスクメディアまたはデジタルオーディオビデオデータを再生対象として選択し再生を指示する単一のハードウェアスイッチと、前記ハードウェアスイッチの操作内容を判別する手段と、前記判別手段がデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動する手段とを具備してなることを特徴とする。
【００１６】
また、本発明は、ディスクメディアの再生手段及びデジタルオーディオビデオデータの再生手段を備えたコンピュータに於いて、ディスクメディアまたはデジタルオーディオビデオデータを再生対象として選択し再生を指示する単一のハードウェアスイッチと、前記ハードウェアスイッチの操作内容を判別する手段と、前記判別手段がデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動する手段と、前記判別手段がディスクメディアの再生指示を判別したとき、前記各再生手段の動作状態を認識し、前記各再生手段が再生処理を実行していないとき前記ディスクメディアの再生処理を起動し、前記ディスクメディアの再生手段が再生処理中でなく、かつ前記デジタルオーディオビデオデータの再生手段が再生処理中である際は前記デジタルオーディオビデオデータの再生処理動作を停止制御した後、前記デジタルオーディオビデオデータの再生処理を起動する手段とを具備してなることを特徴とする。
【００１７】
また、本発明は、前記コンピュータに於いて、前記ハードウェアスイッチは、操作ノブが左右方向にスライド自在で、無負荷のとき中立位置に復帰し、前記操作ノブが一方向にスライド操作されたときと他方向にスライド操作されたときとで各操作に固有の信号を出力することを特徴とする。
【００１８】
また、本発明は、前記コンピュータに於いて、前記デジタルオーディオビデオデータの再生時に、当該再生データの順送り、逆送りを指示するハードウェアスイッチと、当該スイッチ操作に従う処理により前記スイッチ操作に従う再生データを順送り、逆送り制御する手段、若しくは前記各再生手段の再生時に、当該再生対象を順送り、逆送りするハードウェアスイッチと、当該スイッチ操作に従う割込み処理により前記スイッチ操作に従う再生対象を順送り、逆送り制御する手段とを具備することを特徴とする。
【００１９】
また、本発明は、ディスクメディアの再生手段、及びデジタルオーディオビデオデータの再生手段を備えたコンピュータの再生方法に於いて、前記コンピュータ本体の筐体に単一のハードウェアスイッチを設け、当該ハードウェアスイッチの操作に伴うプログラム制御で、前記各再生処理手段の一つを選択的に起動することを特徴とする。
【００２０】
また、本発明は、デジタルオーディオビデオデータの再生機能及び再生を指示するハードウェアスイッチを有してコンピュータに於けるデジタルオーディオビデオデータの再生方法に於いて、前記ハードウェアスイッチが操作されたとき、再生対象となるデジタルオーディオビデオデータの供給源にアクセスして再生対象となるデジタルオーディオビデオデータを取得し、当該データを再生処理することを特徴とする。
【００２１】
また、本発明は、ディスクメディアの再生手段及びデジタルオーディオビデオデータの再生手段と、ディスクメディアまたはデジタルオーディオビデオデータを再生対象として選択し再生を指示する単一のハードウェアスイッチとを備えたコンピュータの再生方法に於いて、前記ハードウェアスイッチが操作された際に、当該スイッチの操作状態を検知し、その操作内容を判別するステップと、前記判別ステップでデジタルオーディオビデオデータの再生指示を判別したとき、デジタルオーディオビデオデータの再生処理を起動するステップと、前記判別ステップでディスクメディアの再生指示を判別したとき、ディスクメディアの再生処理を起動するステップとを具備してなることを特徴とする。
【００２２】
また、本発明は、ＣＤメディアの再生処理手段と、ＤＶＤメディアの再生処理手段と、デジタルオーディオビデオデータの再生処理手段と、単一のハードウェアスイッチとを具備してなるコンピュータの再生方法に於いて、前記ハードウェアスイッチの操作状態を監視し、当該スイッチの操作状態を検出したとき、当該スイッチの操作内容を識別し、当該識別結果に従い前記各再生処理手段の一つを選択的に起動して、ＣＤメディアと、ＤＶＤメディアと、デジタルオーディオビデオデータとの各再生指示及び再生対象の切替をで行うことを特徴とする。
【００２３】
また、本発明は、ディスクメディアを再生する再生処理手段及びデジタルオーディオビデオデータを再生する再生処理手段ととを有してなるコンピュータの再生方法に於いて、前記再生処理手段に起動をかける再生制御手段と、ハードウェアスイッチと、前記ハードウェアスイッチの操作状態を検出し前記再生制御手段に通知する入力処理手段とを有し、前記再生制御手段は、前記入力処理手段より前記通知を受けると、前記入力処理手段より前記ハードウェアスイッチの操作内容を取得して、当該操作内容が特定のスイッチ操作であるとき、前記デジタルオーディオビデオデータの再生処理手段に起動をかけ、前記再生処理手段は、前記再生制御手段により起動されると、デジタルオーディオビデオデータの供給源から再生対象となるデジタルオーディオビデオデータをロードし、当該データを再生処理することを特徴とする。
【００２４】
また、本発明は、ディスクメディアの再生手段及びデジタルオーディオビデオデータの再生手段を備えたコンピュータの再生方法に於いて、ディスクメディアまたはデジタルオーディオビデオデータを再生対象として選択し再生を指示する単一のハードウェアスイッチを備え、前記ハードウェアスイッチが操作されたときハードウェア割込みを発生するステップと、前記ハードウェア割込みに従い、前記ハードウェアスイッチの操作内容を識別するステップと、前記識別した操作内容に従い、再生対象がディスクメディアであるかデジタルオーディオビデオデータであるかを認識するステップと、
前記認識した再生対象を再生するための動作環境を整えて、前記認識した再生対象に従う前記再生手段を起動するステップとを具備してなることを特徴とする。
【００２５】
また、本発明は、ディスクメディアの再生手段及びデジタルオーディオビデオデータの再生手段を備えたコンピュータの再生方法に於いて、ディスクメディアまたはデジタルオーディオビデオデータを再生対象として選択し再生を指示する単一のハードウェアスイッチを備え、前記ハードウェアスイッチが操作された際にその内容を判別するステップと、前記判別ステップでデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動するステップとを具備してなることを特徴とする。
【００２６】
また、本発明は、ディスクメディアの再生手段及びデジタルオーディオビデオデータの再生手段を備えたコンピュータの再生方法に於いて、ディスクメディアまたはデジタルオーディオビデオデータを再生対象として選択し再生を指示する単一のハードウェアスイッチを備え、前記ハードウェアスイッチが操作された際にその操作内容を判別するステップと、前記判別ステップでデジタルオーディオビデオデータの再生指示を判別したとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後、前記デジタルオーディオビデオデータの再生処理を起動するステップと、前記判別手段がディスクメディアの再生指示を判別したとき、前記各再生手段の動作状態を認識し、前記各再生手段が再生処理を実行していないとき前記ディスクメディアの再生処理を起動し、前記ディスクメディアの再生手段が再生処理中でなく、かつ前記デジタルオーディオビデオデータの再生手段が再生処理中である際は前記デジタルオーディオビデオデータの再生処理動作を停止制御した後、前記デジタルオーディオビデオデータの再生処理を起動するステップとを具備してなることを特徴とする。
【００２７】
また、本発明は、ディスクメディアの再生手段、及びデジタルオーディオビデオデータの再生手段と、筐体に単一のハードウェアスイッチとを備えたコンピュータに用いられる再生制御プログラムを記録したコンピュータ読み取り可能な記憶媒体であって、前記ハードウェアスイッチの操作に伴い前記各再生処理手段の一つを選択的に起動する機能を実現させるための再生制御プログラムを記録したことを特徴とする。
【００２８】
また、本発明は、デジタルオーディオビデオデータの再生機能と、前記デジタルオーディオビデオデータの再生を指示するハードウェアスイッチとを備えたコンピュータに用いられる再生制御プログラムを記録したコンピュータ読み取り可能な記憶媒体であって、前記ハードウェアスイッチが操作されたとき、起動して、再生対象となるデジタルオーディオビデオデータの供給源にアクセスして再生対象となるデジタルオーディオビデオデータを取得し、当該データを再生処理する機能を実現させるための再生制御プログラムを記録したことを特徴とする。
【００２９】
また、本発明は、ディスクメディアの再生手段及びデジタルオーディオビデオデータの再生手段と、ディスクメディアまたはデジタルオーディオビデオデータを再生対象として選択し再生を指示する単一のハードウェアスイッチとを備えたコンピュータに用いられる再生制御プログラムを記録したコンピュータ読み取り可能な記憶媒体であって、前記ハードウェアスイッチが操作された際に、当該スイッチの操作状態を検知し、その操作内容を判別する機能と、前記判別した操作内容がデジタルオーディオビデオデータの再生指示であるとき、デジタルオーディオビデオデータの再生処理を起動する機能とを実現させるための再生制御プログラムを記録したことを特徴とする。
【００３０】
また、本発明は、ＣＤメディアの再生処理手段と、ＤＶＤメディアの再生処理手段と、デジタルオーディオビデオデータの再生処理手段と、単一のハードウェアスイッチとを具備してなるコンピュータに用いられる再生制御プログラムを記録したコンピュータ読み取り可能な記憶媒体であって、前記ハードウェアスイッチの操作状態を監視し、当該スイッチの操作状態を検出したとき、当該スイッチの操作内容を識別し、当該識別結果に従い前記各再生処理手段の一つを選択的に起動する機能を実現させるための再生制御プログラムを記録したことを特徴とする。
【００３１】
また、本発明は、ディスクメディアの再生手段、及びデジタルオーディオビデオデータの再生手段と、ディスクメディアまたはデジタルオーディオビデオデータを再生対象として選択し再生を指示する単一のハードウェアスイッチとを有してなるコンピュータに用いられる再生制御プログラムを記録したコンピュータ読み取り可能な記憶媒体であって、前記ハードウェアスイッチが操作された際に、その内容を判別する機能と、前記判別した内容がデジタルオーディオビデオデータの再生指示であるとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後に前記デジタルオーディオビデオデータの再生処理を起動する機能とを実現させるための再生制御プログラムを記録したことを特徴とする。
【００３２】
また、本発明は、ディスクメディアの再生手段、及びデジタルオーディオビデオデータの再生手段と、ディスクメディアまたはデジタルオーディオビデオデータを再生対象として選択し再生を指示する単一のハードウェアスイッチとを有してなるコンピュータに用いられる再生制御プログラムを記録したコンピュータ読み取り可能な記憶媒体であって、前記ハードウェアスイッチが操作された際に、その操作内容を判別する機能と、前記判別した内容がデジタルオーディオビデオデータの再生指示であるとき、前記各再生手段の動作状態を認識し、前記各再生手段が再生処理を実行していないとき前記デジタルオーディオビデオデータの再生処理を起動し、前記デジタルオーディオビデオデータの再生手段が再生処理中でなく、かつ前記ディスクメディアの再生手段が再生処理中である際は前記ディスクメディアの再生処理動作を停止制御した後に前記デジタルオーディオビデオデータの再生処理を起動する機能と、前記判別した内容がディスクメディアの再生指示であるとき、前記各再生手段の動作状態を認識し、前記各再生手段が再生処理を実行していないとき前記ディスクメディアの再生処理を起動し、前記ディスクメディアの再生手段が再生処理中でなく、かつ前記デジタルオーディオビデオデータの再生手段が再生処理中である際は前記デジタルオーディオビデオデータの再生処理動作を停止制御した後に前記デジタルオーディオビデオデータの再生処理を起動する機能とを実現させるための再生制御プログラムを記録したことを特徴とする。
【００３３】
上記したような再生機能をもつことにより、デジタルオーディオデータの再生機能を備えたコンピュータに於いて、デジタルオーディオビデオデータの再生や再生する対象の切り替え操作を容易かつ迅速に行なうことのできる操作性のよいデジタルオーディオビデオデータの再生機構を実現できる。
【００３４】
また、ＣＤ、ＤＶＤ等のディスクメディアの再生機能とデジタルオーディオビデオデータの再生機能とを備えたコンピュータに於いて、上記各再生機能の再生指示や再生する対象の切り替え指示を簡単な操作で容易かつ迅速に行なうことのできる操作性のよいデジタルオーディオビデオデータの再生機構を実現できる。
【００３５】
また、コンピュータ本体の筐体定位置に固定的に設けられたハードウェアスイッチの操作のみで、デジタルオーディオビデオデータの再生や、再生する対象の切り替え操作が行なえる、操作性を向上した再生機能が実現できる。
【００３６】
【発明の実施の形態】
以下図面を参照して本発明の実施形態を説明する。尚、ここでは再生対象をサウンド（オーディオ）データのみとし、デジタルビデオデータの再生については説明を省略する。
【００３７】
まず、図１および図２を参照して、本発明の一実施形態に係る携帯可能なノートブック型パーソナルコンピュータの基本構造について説明する。
【００３８】
図１はディスプレイユニットを開いた状態に於けるコンピュータの正面図、図２はディスプレイユニットを閉じた状態に於けるコンピュータの正面図、図３はディスプレイユニットを閉じた状態に於ける図１の矢印（Ｓ）方向からみた側面図である。
【００３９】
本コンピュータは、コンピュータ本体１１と、ディスプレイユニット１２とから構成されている。
【００４０】
ディスプレイユニット１２には、ＬＣＤからなるディスプレイスクリーン１２１が組み込まれている。このディスプレイユニット１２は、コンピュータ本体１１に対して解放位置と閉塞位置との間を回動自在に取り付けられている。
【００４１】
コンピュータ本体１１は薄い箱形の筐体を有しており、その上面にはキーボードおよびポインティングスティックなどが配置されている。
【００４２】
また、このコンピュータ本体１１上面上の奥手（後部）側にはＬチャネル用ステレオスピーカ１１１ａとＲチャネル用ステレオスピーカ１１１ｂが左右に分かれて配置されている。これらステレオスピーカ１１１ａ，１１１ｂはこの実施形態に於いてコンピュータのメインスピーカとして機能するものであり、主に中・高音域再生用として使用される。Ｌチャネル用ステレオスピーカ１１１ａはその一部がコンピュータ本体１１の左側面にまで到達するように配置されており、またＲチャネル用ステレオスピーカ１１１ｂはその一部がコンピュータ本体１１の右側面にまで到達するように配置されている。これは、ディスプレイユニット１２を閉塞位置に閉じた状態に於いてもステレオスピーカ１１１ａ，１１１ｂからの音を外部に伝達できるようにするためである。また、コンピュータ本体１１には低音域出力用のサブウーファ１１２が設けられている。このサブウーファ１１２により、メインスピーカ（ステレオスピーカ１１１ａ，１１１ｂ）では十分な再生が困難な低域の再生性能を高めることができる。サブウーファ１１２はその前面がコンピュータ本体１１の底面側に向くようにコンピュータ本体１１の筐体内に配置されている。
【００４３】
コンピュータ本体１１の前面には、図示のように、ディスプレイラッチ１２２の受け部の左右両側の位置にバスレフ用開口１１３が設けられている。このバスレフ用開口１１３は、サブウーファ１１２の背面側の音を出力するために用いられる。サブウーファ１１２の背面側の音は、バスレフ用開口１１３を通じてコンピュータ本体１１前面から利用者側に向けて直接的に発せられる。
【００４４】
コンピュータ本体１１の上面上には、コンピュータ本体の電源スイッチであるパワーボタン１１４の他、システムインジケータ１１５、モードコントロールスイッチ（モメンタリスイッチ）１１６、Ａ／Ｖコントロールボタン１１７、バスブーストボタン１１８が設けられている。これらシステムインジケータ１１５、モードコントロールスイッチ１１６、Ａ／Ｖコントロールボタン１１７、バスブーストボタン１１８は、図２に示すように、ディスプレイパネル１２を閉じた状態においても外部に露出されるように配置されている。この実施形態では、ディスプレイパネル１２下部の左右両ヒンジ間に切り欠きが設けられており、これによってディスプレイパネル１２を閉じた状態に於いてもコンピュータ本体１１上面上の奥手（後部）側の領域が外部に露出されるように構成されている。
【００４５】
システムインジケータ１１５は複数のＬＥＤランプを含んでおり、それらランプの点灯によって電源のオン／オフ状態、ＨＤＤのアクセス状態、ＡＣアダプタの接続の有無などの各種ステータスを表示する。
【００４６】
図４にモードコントロールスイッチ（モメンタリスイッチ）１１６の操作部分を拡大して示す。
【００４７】
モードコントロールスイッチ１１６は、ＣＤ、ＤＶＤ等のディスクメディア、またはデジタルサウンドデータを再生対象として選択し再生を指示する単一のハードウェアスイッチであり、ここでは、図４に示すように、操作ノブ１１６ａが左右方向にスライド自在で、無負荷のとき中立位置（ＰＮ）に復帰する構造としたモメンタリスイッチと称するスイッチを用い、ＣＤ、ＤＶＤ等のディスクメディアの再生を指示する際は、操作ノブ１１６ａを左方向のスライド位置（ＰＭ）に操作し、ＭＰ３データ等のデジタルサウンドデータの再生を指示する際は、操作ノブ１１６ａを右方向のスライド位置（ＰＤ）に操作する。
【００４８】
上記モードコントロールスイッチ１１６が設けられた筐体面には、上記操作ノブ１１６ａの左方向スライド位置（ＰＭ）に図示するようなディスクメディアの再生を意味するディスクデザインアイコンが印刷され、操作ノブ１１６ａの右方向スライド位置（ＰＤ）に図示するようなデジタルサウンドデータの再生を意味する音符デザインアイコンが印刷される。
【００４９】
また上記モードコントロールスイッチ１１６は、ディスプレイパネル１２を閉じた状態でも操作でき、かつコンピュータ本体１１を電源オフした状態でも有効に機能する。
【００５０】
このモードコントロールスイッチ１１６の操作ノブ１１６ａを右方向のスライド位置（ＰＤ）へ操作することにより、後述する図５に示す埋め込み回路（ＥＣ）２０９より、当該スイッチ操作に従うＳＭＩ（System Management Interupt）が発生し、ＣＰＵ２０１に通知される。ソフトウェア上では、上記ＳＭＩの発生に伴い、ＢＩＯＳ（Basic Input/Output System）からＯＳ（Operating System）に対して、モードコントロールスイッチ１１６の上記スライド操作を示すイベントが発生される。尚、埋め込み回路（ＥＣ）２０９はパワースイッチのオン／オフに関係なく、常時動作用電源が供給され、パワーオフ状態では上記モードコントロールスイッチ１１６を含む特定の入出力状態の監視を行っている。
【００５１】
また、上記モードコントロールスイッチ１１６の位置（ＰＭ）への操作により、内蔵のディスクドライブ（ＣＤ／ＤＶＤ−ＤＲＶ）２１を用いてＣＤ−ＲＯＭ、ＤＶＤ−ＲＯＭ等のオーディオ再生を実現できるモード（オーディオ再生モード）が可能である。この際は上記モードコントロールスイッチ１１６の位置（ＰＭ）への操作により、ディスクドライブ（ＣＤ／ＤＶＤ−ＤＲＶ）２１、及び後述する図５に示す、サウンドコントローラ（ＳＯＵＮＤ−ＣＯＮＴ）２０３を含むオーディオ回路に動作用電源が供給されて、内蔵のディスクドライブ（ＣＤ／ＤＶＤ−ＤＲＶ）２１を用いたＣＤ−ＲＯＭ、ＤＶＤ−ＲＯＭ等のオーディオ再生が可能となる。
【００５２】
Ａ／Ｖコントロールボタン１１７はそれぞれハードウェアスイッチにより構成され、デジタルサウンドデータ、及びディスクメディアのオーディオビデオ再生を制御するための操作ボタンであり、「再生停止」ボタン、「順送り」ボタン、「逆送り」ボタン等を含んでいる。
【００５３】
バスブーストボタン１１８はサブウーファからの低音域の出力音量レベルを切り替えるための操作ボタンである。バスブーストボタン１１８を操作することにより、サブウーファ１１２からの低音域の出力音量レベルを大きく（低音強調：バスーブースト・オン）したり、バスーブーストを解除（バスーブースト・オフ）することができる。すなわち、本実施形態においては、バスブーストボタン１１８の操作に応じて低音域の出力音量レベルを可変設定するバスブースト機能が設けられており、バスブースト機能をオンした場合には、サブウーファ１１２からの低音域の出力音量レベルを、バスブースト機能をオフしている場合よりも増大することができる。この場合、増大されるのは、サブウーファ１１２からの低音域の出力音量レベルのみであり、サブウーファ１１２からの中・高音域の出力音量レベルは変化しない。これは、バスブースト・オン時においても、メインスピーカ（ステレオスピーカ１１１ａ，１１１ｂ）からの中・高音域の出力音量とサブウーファ１１２からの中・高音域の出力音量とのバランスを崩さないようにするためである。
【００５４】
コンピュータ本体１１の左側面には、音量調節器（ボリューム）１１９、及びＣＤ、ＤＶＤ等のディスクメディアをドライブするディスクドライブ（ＣＤ／ＤＶＤ−ＤＲＶ）２１が設けられるとともに、ヘッドホンジャック、マイクロフォンジャック、ビデオ出力ジャック等が設けられている。
【００５５】
音量調節器（ボリューム）１１９は、メインスピーカ（ステレオスピーカ１１１ａ，１１１ｂ）とサブウーファ１１２とから構成される複合スピーカシステム全体の出力音量を調整するために使用される。
【００５６】
ディスクドライブ（ＣＤ／ＤＶＤ−ＤＲＶ）２１には、オーディオデータが記録されたＣＤ−ＲＯＭ、ＤＶＤ−ＲＯＭ、オーディオ及びビデオデータが記録されたＣＤ−ＲＯＭ、ＤＶＤ−ＲＯＭ等のディスクメディア２０が再生対象として装填可能である。
【００５７】
図５はこの実施形態によるコンピュータのシステム構成を示すブロック図である。
【００５８】
本コンピュータには、図示するように、上記したディスクドライブ（ＣＤ／ＤＶＤ−ＤＲＶ）２１を含め、ＣＰＵ２０１、主メモリ（ＲＯＭ／ＲＡＭ）２０２、埋め込み回路（ＥＣ）２０９、ハードディスク装置（ＨＤＤ）２１０等がそれぞれシステムバスにより接続して設けられるとともに、サウンドコントローラ（ＳＯＵＮＤ−ＣＯＮＴ）２０３、ボリューム回路（ＶＲ）２０５、Ｌチャネルメインスピーカ用アンプ（ＡＭＰ）２０６ａ、Ｒチャネルメインスピーカ用アンプ（ＡＭＰ）２０６ｂ、サブウーファ用アンプ２０７などが設けられている。
【００５９】
パワーオフ時に於ける上記モードコントロールスイッチ１１６の位置（ＰＭ）への操作に伴うオーディオ再生モード下に於いては、ディスクドライブ（ＣＤ／ＤＶＤ−ＤＲＶ）２１の他、サウンドコントローラ２０３、ボリューム回路２０５、Ｌチャネルメインスピーカ用アンプ２０６ａ、Ｒチャネルメインスピーカ用アンプ２０６ｂ、サブウーファ用アンプ２０７に電源が供給され、他の部分には電源は供給されない。
【００６０】
サウンドコントローラ２０３は、ディスクドライブ（ＣＤ／ＤＶＤ−ＤＲＶ）２１から読み出されたオーディオ信号ＣＤ−ｄｉｒｅｃｔや、マイクロフォン（ＭＩＣ）からの入力信号、あるいはＣＰＵ２０１を通じて、例えばハードディスク装置（ＨＤＤ）２１０から供給されるＭＰ３データ等、各種のサウンドデータ（デジタルオーディオデータ）を入力し、それらに応じて、Ｌチャネルオーディオ信号（Ａｕｄｉｏ  Ｌ  ｃｈａｎｎｅｌ）およびＲチャネルオーディオ信号（Ａｕｄｉｏ  Ｒ  ｃｈａｎｎｅｌ）を出力する。Ｌチャネルオーディオ信号およびＲチャネルオーディオ信号は、外部オーディオ機器を接続するためのラインアウト（ＬＩＮＥ  ＯＵＴ）端子に供給されるとともに、ボリューム回路２０５を通じてＬチャネルメインスピーカ用アンプ２０６ａ、Ｒチャネルメインスピーカ用アンプ２０６ｂ、およびサブウーファ用アンプ２０７に供給される。
【００６１】
ボリューム回路（ＶＲ）２０５は、メインスピーカ１１１ａ，１１１ｂおよびサブウーファ１１２からの出力音量を調整するための回路であり、前述の音量調節器（ボリューム）１１９からのボリューム制御信号に応じてＬチャネルオーディオ信号およびＲチャネルオーディオ信号の信号レベルを増減する。
【００６２】
Ｌチャネルメインスピーカ用アンプ２０６ａはＬ側のステレオスピーカ１１１ａを駆動するためのものであり、ボリューム回路２０５を介して入力されるＬチャネルオーディオ信号を増幅してステレオスピーカ１１１ａに出力する。Ｒチャネルメインスピーカ用アンプ２０６ｂはＲ側のステレオスピーカ１１１ｂを駆動するためのものであり、ボリューム回路（ＶＲ）２０５を介して入力されるＲチャネルオーディオ信号を増幅してステレオスピーカ１１１ｂに出力する。
【００６３】
サブウーファ用アンプ２０７はサブウーファ１１２を駆動するためのものであり、低音域のみをサブウーファ用アンプ２０７から再生するためにローパスフィルタを内蔵している。このサブウーファ用アンプ２０７には、ボリューム回路（ＶＲ）２０５を介してＬチャネルオーディオ信号とＲチャネルオーディオ信号の双方が入力される。サブウーファ用アンプ２０７では、Ｌチャネルオーディオ信号とＲチャネルオーディオ信号との加算（信号合成）が行われ、その加算信号が増幅されてサブウーファ１１２に出力される。
【００６４】
また、サブウーファ用アンプ２０７には、前述のバスブーストボタン１１８からのバスブースト制御信号に応じて、サブウーファ１１２からの低音域の出力音量レベルを切り替えるためのゲイン調整機構が組み込まれている。このゲイン調整機構は、入力信号の低音域に対するゲインのみを変化させ、入力信号の中・高音域に対してはバスブースト・オン／オフに関わらずゲインが変化しないように構成されている。
【００６５】
図６は上記再生の対象となるデジタルサウンドデータ、若しくはデジタルサウンドデータ及びメディアデータを再生順に任意に設定し登録しておくプレイリストの管理機構を示す図であり、設定された複数のプレイリストを管理するプレイリスト管理テーブル３０１と、当該プレイリスト管理テーブル３０１により管理されるプレイリスト３０２とで実現される。
【００６６】
このプレイリスト管理テーブル３０１に管理されるプレイリスト３０２は、ハードディスク装置（ＨＤＤ）２１０に格納され、使用対象として選択されたプレイリスト３０２がハードディスク装置（ＨＤＤ）２１０から主メモリ（ＲＯＭ／ＲＡＭ）２０２にロードされ再生制御の際に参照される。このプレイリスト管理テーブル３０１に管理されるプレイリスト３０２は、任意に呼び出して編集することができる。
【００６７】
また、この実施形態に於いては、上記プレイリスト３０２に従うサウンドの再生時に於いて、当該プレイリスト３０２上に於ける再生終了時の情報（ここではＩＤ情報）が所定のレジスタに保持される。このレジスタの内容（ＩＤ情報）は、次の再生終了時に更新される。この再生終了時の情報（ＩＤ情報）を保持するレジスタは何処に設けられてもよいが、例えばプレイリスト３０２の各欄にフラグレジスタを用意し、其処に所定値のフラグを立てることも可能である。ここでは一例として主メモリ（ＲＯＭ／ＲＡＭ）２０２の所定レジスタ領域に保持するものとする。
【００６８】
図７は上記プレイリスト３０２の編集画面の一例を示したもので、ここではプレイリスト本体３１０に、アーティスト名、再生対象データの格納場所を特定するファイル名、及びフォルダ名等が被再生情報（コンテント）毎に登録される。また、プレイリスト編集画面には、情報をプレイリスト本体３１０に追加する追加ボタン３１１、プレイリスト本体３１０から削除する削除ボタン３１２、リストの上方に移動させる移動ボタン３１３、リストの下方に移動させる移動ボタン３１４、再生若しくは編集対象として選択された情報の再生所要時間（再生前）及び現在進行中のプレイ時間（若しくは残り時間）を表示する表示部３１５等が設けられている。この例では選択された編集対象若しくは再生対象となる情報欄が反転表示される構成例を示している。尚、この編集画面はユーザがそれぞれ使い勝手を考慮して任意に作成可能であり、従って表示形態、ボタン配置、ボタン機能等は特定されるものではない。
【００６９】
図８は本発明の一実施形態によるパーソナルコンピュータのオーディオデータ再生機能の処理手順を示すフローチャートであり、ここではモードコントロールスイッチ１１６の操作ノブ１１６ａが左方向のスライド位置（ＰＭ）に操作された際に、ＣＤメディアの再生処理が実行され、モードコントロールスイッチ１１６の操作ノブ１１６ａが右方向のスライド位置（ＰＤ）に操作された際に、デジタルサウンドデータの再生処理が実行される。
【００７０】
図９は上記一実施形態に於ける再生処理の流れを示す図であり、システム稼動中にモードコントロールスイッチ１１６が操作されると、当該スイッチ操作がＢＩＯＳからＯＳ経由でボタン操作を管理するプログラム（ＳＭＧプログラムと称す）に通知される。ＳＭＧプログラムは、上記通知を受けると、そのスイッチの操作内容に従い、再生駆動の対象となるプレーヤアプリケーションプログラム（ＣＤプレーヤアプリケーション／デジタルサウンドプレーヤアプリケーション）が起動される。尚、この実施形態ではディスクドライブ（ＣＤ／ＤＶＤ−ＤＲＶ）２１に装填可能なＣＤメディアとして、圧縮されたサウンドデータ、圧縮されたオーディオ・ビデオデータを記録したメディアを含むものとする。
【００７１】
具体的にはモードコントロールスイッチ１１６が操作されると、当該スイッチ操作状態がＢＩＯＳからＯＳ経由でＳＭＧプログラムに通知され、ＳＭＧプログラムがＢＩＯＳにスイッチの操作内容を問い合わせる（スイッチの操作イベントを問い合わせる）ことで、ＣＤ／ＤＶＤ等のディスクメディアの再生指示（操作ノブ１１６ａを左方向スライド位置（ＰＭ）に操作）であるか、ＭＰ３データ等のデジタルサウンドデータの再生指示（操作ノブ１１６ａを右方向のスライド位置（ＰＤ）に操作）であるかであるかを認識する。
【００７２】
ここで、ＣＤ／ＤＶＤ等のディスクメディアの再生指示であれば、ディスクメディアを再生中であるか否かを判断し、再生中でなければ、デジタルサウンドプレーヤが再生動作中（デジタルサウンドプレーヤアプリケーションプログラムの制御による再生処理中）であるか否かを判断し、再生動作中であれば当該動作を停止制御して後、ＣＤプレーヤ（ＣＤプレーヤアプリケーションプログラム）に再生起動をかける。
【００７３】
また、デジタルサウンドデータの再生指示であれば、デジタルサウンドプレーヤが動作中であるか否かを判断し、動作中でなければ、ディスクドライブ２１に装填されたＣＤメディアが再生中であるか否かを判断し、再生中であればその動作を停止制御して後、デジタルサウンドプレーヤアプリケーションに再生起動をかける。
【００７４】
尚、各プレーヤの起動後に於ける再生処理中に於いては、Ａ／Ｖコントロールボタン１１７に含まれる「再生停止」ボタン、「順送り」ボタン、「逆送り」ボタン等を操作することで、再生停止、順送り、逆送り等が可能となる。また、バスブーストボタン１１８を押下操作することで、サブウーファからの低音域の出力音量レベルを切り替えることができる。
【００７５】
図１０は本発明の他の実施形態によるパーソナルコンピュータのオーディオデータ再生機能の処理手順を示すフローチャートであり、ここではＳＭＧプログラムの処理に於いて、モードコントロールスイッチ１１６の操作ノブ１１６ａが左方向のスライド位置（ＰＭ）に操作された際に、そのときディスクドライブ（ＣＤ／ＤＶＤ−ＤＲＶ）２１に装填されているＣＤメディア若しくはＤＶＤメディアの再生処理が実行され、モードコントロールスイッチ１１６の操作ノブ１１６ａが右方向のスライド位置（ＰＤ）に操作された際に、デジタルサウンドデータの再生処理が実行される。
【００７６】
図１１は上記図１０に示す他の実施形態に於ける再生処理の流れを示す図であり、システム稼動中にモードコントロールスイッチ１１６が操作されると、当該スイッチ操作がＢＩＯＳからＯＳ経由でボタン操作を管理するプログラム（ＳＭＧプログラムと称す）に通知される。ＳＭＧプログラムは、上記通知を受けると、そのスイッチの操作内容に従い、再生駆動の対象となるプレーヤアプリケーションプログラム（ＣＤプレーヤアプリケーション／ＤＶＤプレーヤアプリケーション／デジタルサウンドプレーヤアプリケーション）が起動される。
【００７７】
具体的にはモードコントロールスイッチ１１６が操作されると、当該スイッチ操作状態がＢＩＯＳからＯＳ経由でＳＭＧプログラムに通知され、ＳＭＧプログラムがＢＩＯＳにスイッチの操作内容を問い合わせる（スイッチの操作イベントを問い合わせる）ことで、ＣＤ／ＤＶＤ等のディスクメディアの再生指示（操作ノブ１１６ａを左方向スライド位置（ＰＭ）に操作）であるか、ＭＰ３データ等のデジタルサウンドデータの再生指示（操作ノブ１１６ａを右方向のスライド位置（ＰＤ）に操作）であるかであるかを認識する。
【００７８】
ここで、ＣＤ／ＤＶＤ等のディスクメディアの再生指示であれば、ディスクメディアを再生中であるか否かを判断し、再生中でなければ、デジタルサウンドプレーヤが再生動作中（デジタルサウンドプレーヤアプリケーションプログラムの制御による再生処理中）であるか否かを判断し、再生動作中であれば当該動作を停止制御して、ディスクドライブ（ＣＤ／ＤＶＤ−ＤＲＶ）２１のコントローラ側で認識される実装再生メディアの判定種別に従いＣＤプレーヤ（ＣＤプレーヤアプリケーションプログラム）若しくはＤＶＤプレーヤ（ＤＶＤプレーヤアプリケーションプログラム）に再生起動をかける。
【００７９】
また、デジタルサウンドデータの再生指示であれば、デジタルサウンドプレーヤが動作中であるか否かを判断し、動作中でなければ、ディスクドライブ（ＣＤ／ＤＶＤ−ＤＲＶ）２１に装填されたディスクが再生中であるか否かを判断し、再生中であればその動作を停止制御して後、デジタルサウンドプレーヤアプリケーションに再生起動をかける。
【００８０】
尚、この実施形態に於いても各プレーヤの起動後に於ける再生処理中に於いては、Ａ／Ｖコントロールボタン１１７に含まれる「再生停止」ボタン、「順送り」ボタン、「逆送り」ボタン等を操作することで、各再生対象（ＣＤ／ＤＶＤ／デジタルサウンドプレーヤ）について、再生停止、順送り、逆送り等が可能となる。また、バスブーストボタン１１８を押下操作することで、サブウーファからの低音域の出力音量レベルを切り替えることができる。
【００８１】
ここで上記各図を参照して本発明の実施形態に於ける動作を説明する。
【００８２】
先ず、図８及び図９を参照して本発明の一実施形態に於ける動作を説明する。ここでは、ハードウェアスイッチ（モードコントロールスイッチ１１６）によるダイレクト操作指示により、ＣＤメディア、またはデジタルサウンドデータに従う再生動作が開始される。
【００８３】
上記したモードコントロールスイッチ１１６を備えたコンピュータに於いて、ＣＤメディアの再生を指示する際は、モードコントロールスイッチ１１６の操作ノブ１１６ａを左方向のスライド位置（ＰＭ）に操作する。また、ＭＰ３データ等のデジタルサウンドデータの再生を指示する際は、モードコントロールスイッチ１１６の操作ノブ１１６ａを右方向のスライド位置（ＰＤ）に操作する。
【００８４】
このモードコントロールスイッチ１１６の操作により、ハードウェア上では埋め込み回路（ＥＣ）２０９より、当該スイッチ操作に従うＳＭＩが発生し、当該割込みがＣＰＵ２０１に通知される。またソフトウェア上では、上記ＳＭＩの発生に伴い（図８ステップＢ１１）、ＢＩＯＳからＯＳ経由でＳＭＧプログラムに対して、モードコントロールスイッチ１１６の上記スライド操作を示すイベントが発生され（図８ステップＢ１２）、ＳＭＧプログラムが起動する（図８ステップＢ１３）。当該ＳＭＧプログラムは、ＢＩＯＳにスイッチの操作内容を問い合わせて上記モードコントロールスイッチ１１６の操作内容を取得し（図８ステップＢ１３１）、ＣＤメディアの再生指示（操作ノブ１１６ａを左方向スライド位置（ＰＭ）に操作）であるか、ＭＰ３データ等のデジタルサウンドデータの再生指示（操作ノブ１１６ａを右方向のスライド位置（ＰＤ）に操作）であるかであるかを認識する（図８ステップＢ１３２）。
【００８５】
ここで、上記再生指示内容がＣＤメディアの再生指示であれば、ＣＤプレーヤ（ＣＤプレーヤアプリケーションプログラム）が再生中でないことを確認して、デジタルサウンドプレーヤ（デジタルサウンドプレーヤプレーヤアプリケーションプログラム）が再生中であるか否かを判断し（図８ステップＢ１３３）、再生中でなければ（図９（５−１）参照）ＣＤプレーヤに再生起動をかける（図８ステップＢ１３５）（図９（６−１）参照）。尚、この際、ＣＤプレーヤ（ＣＤプレーヤアプリケーションプログラム）が再生中であるときは、上記モードコントロールスイッチ１１６の操作入力を無効として、その再生処理を終了する。
【００８６】
また、デジタルサウンドプレーヤが再生動作中（デジタルサウンドプレーヤアプリケーションプログラムの制御による再生処理中）であれば、当該デジタルサウンドプレーヤの再生動作を停止制御して（図８ステップＢ１３４）（図９（４−１）参照）後、ＣＤプレーヤに再生起動をかける（図８ステップＢ１３５）（図９（６−１）参照）。
【００８７】
また、上記再生指示内容の認識処理（図８ステップＢ１３２）に於いて、再生指示内容がデジタルサウンドデータの再生指示であれば、デジタルサウンドプレーヤが再生中でないことを確認して、ＣＤプレーヤ（ＣＤプレーヤアプリケーションプログラム）が再生中であるか否かを判断し（図８ステップＢ１３６）、再生中でなければ（図９（５−２）参照）、デジタルサウンドプレーヤに再生起動をかける（図８ステップＢ１３８）（図９（６−２）参照）。尚、この際、デジタルサウンドプレーヤが再生中であるときは、上記モードコントロールスイッチ１１６の操作入力を無効として、その再生処理を終了する。
【００８８】
また、ＣＤプレーヤが再生動作中であれば、当該ＣＤプレーヤの再生動作を停止制御して（図８ステップＢ１３７）（図９（４−２）参照）後、デジタルサウンドプレーヤに再生起動をかける（図８ステップＢ１３８）（図９（６−２）参照）。
【００８９】
このような再生機能をもつことにより、デジタルサウンドデータの再生機能とＣＤメディアの再生機能とを備えたコンピュータに於いて、上記各再生機能の再生指示や再生する対象の切り替え指示を簡単な操作で容易かつ迅速に行なうことのできる操作性のよい再生機構が実現できる。また、コンピュータ本体の筐体定位置に固定的に設けられたハードウェアスイッチ（モードコントロールスイッチ１１６）の操作のみで、デジタルサウンドデータの再生や、再生する対象の切り替え操作が行なえる、操作性を向上した再生機能が実現できる。
【００９０】
次に、図１０及び図１１を参照して本発明の他の実施形態に於ける動作を説明する。ここでは、ハードウェアスイッチ（モードコントロールスイッチ１１６）によるダイレクト操作指示により、ディスクドライブ（ＣＤ／ＤＶＤ−ＤＲＶ）２１に装填されたメディア（ＣＤメディアまたはＤＶＤメディア）、またはデジタルサウンドデータに従う再生動作が開始される。
【００９１】
上記したモードコントロールスイッチ１１６を備えたコンピュータに於いて、ＣＤメディアまたはＤＶＤメディアの再生を指示する際は、モードコントロールスイッチ１１６の操作ノブ１１６ａを左方向のスライド位置（ＰＭ）に操作する。また、ＭＰ３データ等のデジタルサウンドデータの再生を指示する際は、モードコントロールスイッチ１１６の操作ノブ１１６ａを右方向のスライド位置（ＰＤ）に操作する。尚、この際、ＣＤメディア／ＤＶＤメディアの再生は、ディスクドライブ（ＣＤ／ＤＶＤ−ＤＲＶ）２１に装填されたメディアの種別（ＣＤメディア／ＤＶＤメディア）をディスクドライブ（ＣＤ／ＤＶＤ−ＤＲＶ）２１のコントローラが判定し、その判定結果をＳＭＧプログラムが認識することで、対応するプレーヤ（ＣＤプレーヤ／ＤＶＤプレーヤ）に再生起動がかけられる。
【００９２】
上記モードコントロールスイッチ１１６の操作からＳＭＧプログラムが起動するまでの処理については、ＣＤメディアの再生指示が、ＣＤメディアまたはＤＶＤメディアの再生指示に換わることを除いて上記一実施形態と同様であるため、ここではその説明を省略する。
【００９３】
ＳＭＧプログラムは、ＢＩＯＳに上記モードコントロールスイッチ１１６の操作内容を問い合わせ、上記モードコントロールスイッチ１１６の操作内容を取得して（図１０ステップＢ２１）、ＣＤ／ＤＶＤメディアの再生指示（操作ノブ１１６ａを左方向スライド位置（ＰＭ）に操作）であるか、ＭＰ３データ等のデジタルサウンドデータの再生指示（操作ノブ１１６ａを右方向のスライド位置（ＰＤ）に操作）であるかであるかを認識する（図１０ステップＢ２２）。
【００９４】
ここで、上記再生指示内容がＣＤ／ＤＶＤメディアの再生指示であれば、ＣＤプレーヤ（ＣＤプレーヤアプリケーションプログラム）が再生中でないことを確認して、デジタルサウンドプレーヤ（デジタルサウンドプレーヤプレーヤアプリケーションプログラム）が再生中であるか否かを判断し（図１０ステップＢ２３）、再生中でなければ（図１１（５−１）参照）、ディスクドライブ（ＣＤ／ＤＶＤ−ＤＲＶ）２１のコントローラ側で認識される実装再生メディアの判定種別に従い（図１０ステップＢ２５）、ＤＶＤプレーヤ（ＤＶＤプレーヤアプリケーションプログラム）、若しくはＣＤプレーヤ（ＣＤプレーヤアプリケーションプログラム）に再生起動をかける（図１０ステップＢ２６，Ｂ２７）（図１１（６−１ｂ／６−１ａ）参照）。尚、この際、対応するプレーヤ（ＣＤプレーヤ／ＤＶＤプレーヤ）が再生中であるときは、上記モードコントロールスイッチ１１６の操作入力を無効として、その再生処理を終了する。
【００９５】
また、デジタルサウンドプレーヤが再生動作中（デジタルサウンドプレーヤアプリケーションプログラムの制御による再生処理中）であれば、当該デジタルサウンドプレーヤの再生動作を停止制御して（図１０ステップＢ２４）（図１１（４−１）参照）後、再生対象となるＤＶＤプレーヤ若しくはＣＤプレーヤに再生起動をかける（図１０ステップＢ２６，Ｂ２７）（図９（６−１）参照）。
【００９６】
また、上記再生指示内容の認識処理（図１０ステップＢ２２）に於いて、再生指示内容がデジタルサウンドデータの再生指示であれば、デジタルサウンドプレーヤが再生中でないことを確認して、ＣＤプレーヤ（ＣＤプレーヤアプリケーションプログラム）、ＤＶＤプレーヤ（ＤＶＤプレーヤアプリケーションプログラム）の何れかが再生中であるか否かを判断し（図１０ステップＢ２８）、再生中でなければ（図１１（５−２）参照）、デジタルサウンドプレーヤに再生起動をかける（図１０ステップＢ３０）（図１１（６−２）参照）。尚、この際、デジタルサウンドプレーヤが再生中であるときは、上記モードコントロールスイッチ１１６の操作入力を無効として、その再生処理を終了する。
【００９７】
また、ＣＤプレーヤ若しくはＤＶＤプレーヤが再生動作中であれば、当該プレーヤの再生動作を停止制御して（図１０ステップＢ２９）（図１１（４−２）参照）後、デジタルサウンドプレーヤに再生起動をかける（図１０ステップＢ３０）（図１１（６−２）参照）。
【００９８】
この実施形態に於いてもデジタルサウンドデータの再生機能とＣＤ、ＤＶＤ等のディスクメディアの再生機能とを備えたコンピュータに於いて、上記各再生機能の再生指示や再生する対象の切り替え指示を簡単な操作で容易かつ迅速に行なうことのできる操作性のよいサウンド再生機構が実現できる。また、コンピュータ本体の筐体定位置に固定的に設けられた単一のハードウェアスイッチ（モードコントロールスイッチ１１６）の操作のみで、デジタルサウンドデータの再生や、再生する対象の切り替え操作が行なえる、操作性を向上した再生機能が実現できる。
【００９９】
【発明の効果】
以上詳記したように本発明によれば、デジタルオーディオデータの再生機能を備えたコンピュータに於いて、デジタルオーディオビデオデータの再生や再生する対象の切り替え操作を容易かつ迅速に行なうことのできる操作性のよいデジタルオーディオビデオデータの再生機構を実現できるコンピュータおよびコンピュータに於けるデジタルオーディオビデオデータの再生方法が提供できる。
【０１００】
また本発明によれば、ディスクメディアの再生機能とデジタルオーディオデータの再生機能とを備えたコンピュータに於いて、上記各再生機能の再生指示や再生する対象の切り替え指示を簡単な操作で容易かつ迅速に行なうことのできるコンピュータおよびコンピュータに於けるデジタルオーディオビデオデータの再生方法が提供できる。
【０１０１】
また、本発明によれば、コンピュータ本体の筐体定位置に固定的に設けられたハードウェアスイッチの操作のみで、デジタルオーディオビデオデータの再生や、再生する対象の切り替え操作が行なえる、操作性を向上したコンピュータおよびコンピュータに於けるデジタルオーディオビデオデータの再生方法が提供できる。
【図面の簡単な説明】
【図１】本発明の実施形態に於けるコンピュータのディスプレイ開放状態に於ける外観構成を示す斜視図。
【図２】上記実施形態に於けるコンピュータのディスプレイ閉塞状態に於ける外観構成を示す斜視図。
【図３】上記実施形態に於けるコンピュータのディスプレイ閉塞状態に於ける外観構成を示す側面図。
【図４】上記実施形態に於けるコンピュータに設けたモードコントロールスイッチ（モメンタリスイッチ）の操作部分を拡大して示す図。
【図５】上記実施形態に於けるコンピュータのシステム構成を示すブロック図。
【図６】上記実施形態に於けるプレイリストの管理機構を示す図。
【図７】プレイリスト３０２の編集画面の一例を示す図。
【図８】本発明の一実施形態によるパーソナルコンピュータのオーディオデータ再生機能の処理手順を示すフローチャート。
【図９】上記一実施形態に於ける再生処理の流れを示す図。
【図１０】本発明の他の実施形態によるパーソナルコンピュータのオーディオデータ再生機能の処理手順を示すフローチャート。
【図１１】上記他の実施形態に於ける再生処理の流れを示す図。
【符号の説明】
１１…コンピュータ本体
１２…ディスプレイユニット
２１…ディスクドライブ（ＣＤ／ＤＶＤ−ＤＲＶ）
１１１ａ…Ｌチャネル用メインスピーカ
１１１ｂ…Ｒチャネル用メインスピーカ
１１２…サブウーファ
１１３…バスレフ用開口
１１６…モードコントロールスイッチ（モメンタリスイッチ）
１１７…Ａ／Ｖコントロールボタン
１１８…バスブーストボタン
２０３…サウンドコントローラ（ＳＯＵＮＤ−ＣＯＮＴ）
２０５…ボリューム調整回路
２０６ａ…Ｌチャネルメインスピーカ用アンプ
２０６ｂ…Ｒチャネルメインスピーカ用アンプ
２０７…サブウーファ用アンプ
２０９…埋め込み回路（ＥＣ）
２１０…ハードディスク装置（ＨＤＤ）
【図１】
0004330780.tif 000002
【図２】
0004330780.tif 000003
【図３】
0004330780.tif 000004
【図４】
0004330780.tif 000005
【図５】
0004330780.tif 000006
【図６】
0004330780.tif 000007
【図７】
0004330780.tif 000008
【図８】
0004330780.tif 000009
【図９】
0004330780.tif 000010
【図１０】
0004330780.tif 000011
【図１１】
0004330780.tif 000012